(57)【要約】【課題】通信装置の通信サービスをフェムトセル用基地局を用いて限定することが可能な通信システムを提供する。【解決手段】サービス管理装置（100）は、携帯電話機（UE1）がフェムトセル用基地局（FAP1）の配下に存在する場合に、携帯電話機（UE1）への通信サービスの利用を可能にし、携帯電話機（UE1）がマクロセル用基地局（MAP1）の配下に存在する場合に、携帯電話機（UE1）への通信サービスの利用を制限する。【選択図】図１
2010206619.tif 000002
【特許請求の範囲】
【請求項１】
通信装置がフェムトセル用基地局の配下に存在する場合に、前記通信装置への通信サービスの利用を可能にし、通信装置がマクロセル用基地局の配下に存在する場合に、前記通信装置への通信サービスの利用を制限することを特徴とする管理装置。
【請求項２】
前記通信装置がマクロセル用基地局の配下に存在する場合でも、前記通信装置へのGPS（Global Positioning System）機能のサービスと、緊急機関への連絡サービスと、緊急連絡先への連絡サービスと、の利用は制限しないことを特徴とする請求項１記載の管理装置。
【請求項３】
前記通信装置がフェムトセル用基地局の配下に存在する場合に制限する通信サービスを通信装置毎に設定変更する設定手段を有することを特徴とする請求項１または２記載の管理装置。
【請求項４】
前記設定手段は、
通信サービスを制限するための制限要求を前記通信装置から受け付けた場合に、当該制限要求に対応する通信サービスを制限するように設定し、
通信サービスの制限を解除するための解除要求を前記通信装置から受け付けた場合に、当該解除要求に対応する通信サービスの制限を解除するように設定することを特徴とする請求項３記載の管理装置。
【請求項５】
前記通信装置の位置登録情報を管理する管理手段を有し、
前記通信装置への通信サービスを開始する場合に、前記管理手段を参照し、前記通信装置がフェムトセル用基地局の配下に存在する場合に、前記通信装置への通信サービスの利用を可能にし、前記通信装置がマクロセル用基地局の配下に存在する場合に、前記通信装置への通信サービスの利用を制限することを特徴とする請求項１から４の何れか１項に記載の管理装置。
【請求項６】
通信装置と、フェムトセル用基地局と、マクロセル用基地局と、管理装置と、を有する通信システムであって、
前記管理装置は、
前記通信装置が前記フェムトセル用基地局の配下に存在する場合に、前記通信装置への通信サービスの利用を可能にし、前記通信装置が前記マクロセル用基地局の配下に存在する場合に、前記通信装置への通信サービスの利用を制限することを特徴とする通信システム。
【請求項７】
通信装置が利用可能な通信サービスを管理する管理装置が行う制御方法であって、
前記通信装置がフェムトセル用基地局の配下に存在する場合に、前記通信装置への通信サービスの利用を可能にし、前記通信装置がマクロセル用基地局の配下に存在する場合に、前記通信装置への通信サービスの利用を制限する工程を有することを特徴とする制御方法。
【請求項８】
通信装置が利用可能な通信サービスを管理する管理装置のコンピュータに実行させるプログラムであって、
前記通信装置がフェムトセル用基地局の配下に存在する場合に、前記通信装置への通信サービスの利用を可能にし、前記通信装置がマクロセル用基地局の配下に存在する場合に、前記通信装置への通信サービスの利用を制限する処理を、前記コンピュータに実行させることを特徴とするプログラム。
【発明の詳細な説明】
【技術分野】
【０００１】
本発明は、フェムトセル用基地局を用いて通信を行う技術に関するものである。
【背景技術】
【０００２】
不可解な犯罪が増加の一途をたどる昨今では、防犯目的のために子供たちに携帯電話機を持たせる親が増加している。その一方で、学校の授業中にメール交換やWebアクセスなど、本来の目的からかけ離れて携帯電話機を使用する子供たちが多い。その結果、携帯電話機の利用が原因で犯罪に巻き込まれる子供たちが急増している。
【０００３】
このようなことから、各携帯電話事業者は、子供向けの機能限定サービスを提供している。機能限定サービスとは、携帯電話機を使用した通信サービスを制限することが可能なサービスである。しかし、上記の機能限定サービスが大きな抑止力になっているとは言いがたい。このため、携帯電話機の通信サービスを制限することが可能な新たなサービスを構築する必要がある。
【０００４】
また、近年では、通信エリアの通信品質の向上を図るべく、フェムトセル用基地局を導入した通信システムの開発が進められている（例えば、特許文献１、２参照）。
【０００５】
フェムトセル用基地局は、半径数十メートル程度の狭い通信エリアをカバーする小型無線基地局であり、家庭やオフィス等の屋内に設置し、屋内の通信エリアをカバーすることを目的としている。これにより、既存のマクロセル用基地局がカバーできない通信エリアの通信品質を改善することを可能にしている。また、マクロセル用基地局のインフラ整備にコストをかけずに通信エリアをカバーすることを可能にしている。
【０００６】
また、個人宅などで使用される小規模無線基地局（家庭内用基地局）に特別な機能を付加することなく移動通信網への網編入を自動化する技術について開示された文献がある（例えば、特許文献３参照）。
【先行技術文献】
【特許文献】
【０００７】
【特許文献１】特表２００９-５０４０４９号公報
【特許文献２】特表２００９-５０４０５１号公報
【特許文献３】特開２００６-３２４８３１号公報
【発明の概要】
【発明が解決しようとする課題】
【０００８】
上記特許文献１、２には、フェムトセル用基地局を導入した通信システムの技術について開示されている。しかし、通信装置の通信サービスをフェムトセル用基地局を用いて制限することについては何ら考慮されていない。
【０００９】
また、上記特許文献３には、移動通信端末104が家庭用基地局101から移動通信網に接続する技術について開示されている。しかし、移動通信端末104の通信サービスを制限することについては何ら考慮されていない。
【００１０】
本発明は上記事情に鑑みてなされたものであり、上述した課題である、通信装置の通信サービスをフェムトセル用基地局を用いて限定することが可能な管理装置、通信システム、制御方法及びプログラムを提供することを目的とする。
【課題を解決するための手段】
【００１１】
かかる目的を達成するために、本発明は、以下の特徴を有することとする。
【００１２】
＜管理装置＞
本発明にかかる管理装置は、
通信装置がフェムトセル用基地局の配下に存在する場合に、前記通信装置への通信サービスの利用を可能にし、通信装置がマクロセル用基地局の配下に存在する場合に、前記通信装置への通信サービスの利用を制限することを特徴とする。
【００１３】
＜通信システム＞
本発明にかかる通信システムは、
通信装置と、フェムトセル用基地局と、マクロセル用基地局と、管理装置と、を有する通信システムであって、
前記管理装置は、
前記通信装置が前記フェムトセル用基地局の配下に存在する場合に、前記通信装置への通信サービスの利用を可能にし、前記通信装置が前記マクロセル用基地局の配下に存在する場合に、前記通信装置への通信サービスの利用を制限することを特徴とする。
【００１４】
＜制御方法＞
本発明にかかる制御方法は、
通信装置が利用可能な通信サービスを管理する管理装置が行う制御方法であって、
前記通信装置がフェムトセル用基地局の配下に存在する場合に、前記通信装置への通信サービスの利用を可能にし、前記通信装置がマクロセル用基地局の配下に存在する場合に、前記通信装置への通信サービスの利用を制限する工程を有することを特徴とする。
【００１５】
＜プログラム＞
本発明にかかるプログラムは、
通信装置が利用可能な通信サービスを管理する管理装置のコンピュータに実行させるプログラムであって、
前記通信装置がフェムトセル用基地局の配下に存在する場合に、前記通信装置への通信サービスの利用を可能にし、前記通信装置がマクロセル用基地局の配下に存在する場合に、前記通信装置への通信サービスの利用を制限する処理を、前記コンピュータに実行させることを特徴とする。
【発明の効果】
【００１６】
本発明によれば、通信装置の通信サービスをフェムトセル用基地局を用いて制限することができる。
【図面の簡単な説明】
【００１７】
【図１】本実施形態の通信システムのシステム構成例を示す図である。
【図２】本実施形態の通信システムの処理動作例（携帯電話機UE1がフェムトセル用基地局FAP1の配下に存在し、Webサーバ200のサービスを利用する場合）を示す図である（サービス規制なし）。
【図３】本実施形態の通信システムの処理動作例（携帯電話機UE1がフェムトセル用基地局FAP1の配下に存在し、通話を行う場合）を示す図である（サービス規制なし）。
【図４】本実施形態の通信システムの処理動作例（携帯電話機UE1がフェムトセル用基地局FAP1の配下に存在し、通話を行う場合）を示す図である（サービス規制なし）。
【図５】本実施形態の通信システムの処理動作例（携帯電話機UE1がマクロセル用基地局MAP1の配下に存在し、Webサーバ200のサービスを利用する場合）を示す図である（サービス規制あり）。
【図６】本実施形態の通信システムの処理動作例（携帯電話機UE1がマクロセル用基地局MAP1の配下に存在し、GPSサーバ300のサービスを利用する場合）を示す図である（サービス規制なし）。
【図７】本実施形態の通信システムの処理動作例（携帯電話機UE1がマクロセル用基地局MAP1の配下に存在し、通話を行う場合）を示す図である（サービス規制あり）。
【図８】本実施形態の通信システムの処理動作例（携帯電話機UE1がマクロセル用基地局MAP1の配下に存在し、通話を行う場合）を示す図である（サービス規制あり）。
【図９】本実施形態の通信システムの処理動作例（携帯電話機UE1がマクロセル用基地局MAP1の配下に存在し、緊急連絡先に通話を行う場合）を示す図である（サービス規制なし）。
【図１０】本実施形態の通信システムの処理動作例（携帯電話機UE1がマクロセル用基地局MAP1の配下に存在し、緊急連絡先に通話を行う場合）を示す図である（サービス規制なし）。
【図１１】本実施形態の通信システムの処理動作例（携帯電話機UE1がマクロセル用基地局MAP1の配下に存在し、緊急機関500に通話を行う場合）を示す図である（サービス規制なし）。
【図１２】本実施形態の通信システムの処理動作例（サービス制限なし）を示す図である。
【図１３】本実施形態の通信システムの処理動作例（サービス制限あり）を示す図である。
【図１４】本実施形態の通信システムのサービス制限のあり、なしを説明するための図である。
【図１５】第２の実施形態の通信システムの処理動作例（携帯電話機UE1がフェムトセル用基地局FAP1の配下に存在し、Webサーバ200のサービスを利用する場合）を示す図である（サービス規制あり）。
【発明を実施するための形態】
【００１８】
＜本実施形態の通信システムの概要＞
まず、図１を参照しながら、本実施形態の通信システムの概要について説明する。
【００１９】
本実施形態の通信システムは、通信装置（携帯電話機UE1に相当）と、フェムトセル用基地局FAP1と、マクロセル用基地局MAP1と、管理装置（サービス管理装置100に相当）と、を有する通信システムである。
【００２０】
本実施形態の管理装置100は、通信装置UE1がフェムトセル用基地局FAP1の配下に存在する場合に、通信装置UE1への通信サービスの利用を可能にし、通信装置UE1がマクロセル用基地局MAP1の配下に存在する場合に、通信装置UE1への通信サービスの利用を制限する。これにより、通信装置UE1の通信サービスをフェムトセル用基地局FAP1を用いて制限することができる。以下、添付図面を参照しながら、本実施形態の通信システムについて詳細に説明する。
【００２１】
＜通信システムのシステム構成例＞
まず、図１を参照しながら、本実施形態の通信システムのシステム構成例について説明する。
【００２２】
本実施形態の通信システムは、携帯電話機UEと、フェムトセル用基地局FAPと、マクロセル用基地局MAPと、サービス管理装置100と、Webサーバ200と、GPS（Global Positioning System）サーバ300と、メールサーバ400と、緊急機関500と、を有して構成している。UEは、User Equipmentであり、FAPは、Femto Access Pointであり、MAPは、Macro Access Pointである。
【００２３】
フェムトセル用基地局FAPと、マクロセル用基地局MAPと、サービス管理装置100と、Webサーバ200と、GPSサーバ300と、メールサーバ400と、緊急機関500と、はネットワークNWを介して接続している。
【００２４】
本実施形態の通信システムは、ネットワークNWに接続された各装置同士が情報通信を行うことが可能であれば、ネットワークNWの構成や通信方法は特に限定せず、あらゆる通信網や通信方法で構成することが可能である。
【００２５】
携帯電話機UEは、各ユーザが使用する通信装置である。携帯電話機UEは、フェムトセル用基地局FAP、または、マクロセル用基地局MAPと接続し、フェムトセル用基地局FAP、または、マクロセル用基地局MAPを介してネットワークNWに接続する。
【００２６】
フェムトセル用基地局FAPは、半径数十メートル程度の狭い通信エリアをカバーする小型無線基地局である。フェムトセル用基地局FAPは、家庭やオフィス等の屋内に設置し、屋内の通信エリアをカバーすることになる。
【００２７】
マクロセル用基地局MAPは、Macro網を構築する既存の無線基地局である。マクロセル用基地局MAPは、屋外に設置される。
【００２８】
サービス管理装置100は、携帯電話機UEの加入者情報を管理する装置であり、各携帯電話事業者が管理する。サービス管理装置100は、携帯電話機UEの位置情報を管理し、携帯電話機UEがフェムトセル用基地局FAPの配下に存在するのか、または、マクロセル用基地局MAPの配下に存在するのかを判断する。サービス管理装置100は、携帯電話機UEがマクロセル用基地局MAPの配下に存在する場合に、携帯電話機UEに対し、Webサーバ200、メールサーバ400へのアクセスを制限する。但し、サービス管理装置100は、防犯目的のGPSサーバ300へのアクセスは制限しないようにする。
【００２９】
また、サービス管理装置100は、携帯電話機UEがマクロセル用基地局MAPの配下に存在する場合に、携帯電話機UEの通話を制限する。但し、サービス管理装置100は、緊急機関500への発呼や、緊急連絡先への発呼は制限しないようにする。
【００３０】
Webサーバ200は、Webサービスを提供する既存のサーバである。
【００３１】
GPSサーバ300は、携帯電話機UEの位置情報を提供する既存のサーバである。
【００３２】
メールサーバ400は、メールサービスを提供する既存のサーバである。
【００３３】
緊急機関500は、緊急自体が発生した場合に対応する機関であり、110番、119番、117番等の発呼に対応する既存の機関である。
【００３４】
＜通信システムの処理動作＞
次に、図２〜図１１を参照しながら、本実施形態の通信システムの処理動作について説明する。
【００３５】
＜フェムトセル用基地局FAP1配下の携帯電話機UE1がWebサーバ200のサービスを利用する場合＞
まず、図２を参照しながら、フェムトセル用基地局FAP1配下の携帯電話機UE1がWebサーバ200のサービスを利用する場合について説明する。
【００３６】
携帯電話機UE1は、携帯電話機UE1が接続可能なフェムトセル用基地局FAP1を経由してサービス管理装置100にアクセスし、携帯電話機UE1の位置情報をサービス管理装置100に登録する。このため、サービス管理装置100は、携帯電話機UE１がフェムトセル用基地局FAP1の配下に存在することを把握している（ステップS0）。
【００３７】
携帯電話機UE1は、Webサーバ200へのアクセス要求をフェムトセル用基地局FAP1に送信する（ステップS1）。アクセス要求には、UE_IMSIが含まれている。UE_IMSIは、UE1を特定するための情報である。
【００３８】
フェムトセル用基地局FAP1は、アクセス要求をサービス管理装置100に送信する（ステップS2）。アクセス要求には、UE_IMSI/FAP_IMSIのNAIが含まれている。UE_IMSIは、UE1を特定するための情報であり、ステップS1で受信したアクセス要求に含まれていたIMSI.UEである。FAP_IMSIは、FAP1を特定するための情報である。
【００３９】
サービス管理装置100は、アクセス要求を受け付けた場合に、携帯電話機UE1の位置情報を確認し（ステップS3）、携帯電話機UE1がフェムトセル用基地局FAP1の配下に存在する場合に、アクセスOKのアクセス応答をフェムトセル用基地局FAP1を介して携帯電話機UE1に送信する（ステップS4,S5）。
【００４０】
携帯電話機UE1は、アクセスOKのアクセス応答を受信した場合に、Webサーバ200に接続し、Webサーバ200のサービスを利用することになる（ステップS6）。
【００４１】
このように、サービス管理装置100は、携帯電話機UE1がフェムトセル用基地局FAP1の配下に存在する場合は、Webサーバ200のサービスを携帯電話機UE1に利用させることになる。なお、サービス管理装置100は、GPSサーバ300やメールサーバ400のサービスを携帯電話機UE1が利用する場合も上記と同様な処理を行い、GPSサーバ300やメールサーバ400のサービスを携帯電話機UE1に利用させることになる。
【００４２】
＜フェムトセル用基地局FAP1配下の携帯電話機UE1が通話相手の携帯電話機UE2に通話を行う場合＞
次に、図３を参照しながら、フェムトセル用基地局FAP1配下の携帯電話機UE1が通話相手の携帯電話機UE2に通話を行う場合について説明する。
【００４３】
携帯電話機UE1は、携帯電話機UE1が接続可能なフェムトセル用基地局FAP1を経由してサービス管理装置100にアクセスし、携帯電話機UE1の位置情報をサービス管理装置100に登録する。このため、サービス管理装置100は、携帯電話機UE1がフェムトセル用基地局FAP1の配下に存在することを把握している（ステップA0）。
【００４４】
携帯電話機UE1は、通話相手の携帯電話機UE2への発呼要求をフェムトセル用基地局FAP1に送信する（ステップA1）。発呼要求には、UE_IMSIが含まれている。UE_IMSIは、UE1を特定するための情報である。
【００４５】
フェムトセル用基地局FAP1は、発呼要求をサービス管理装置100に送信する（ステップA2）。発呼要求には、UE_IMSI/FAP_IMSIのNAIが含まれている。UE_IMSIは、UE1を特定するための情報であり、ステップA1で受信した発呼要求に含まれていたIMSI.UEである。FAP_IMSIは、FAP1を特定するための情報である。
【００４６】
サービス管理装置100は、発呼要求を受け付けた場合に、携帯電話機UE1の位置情報を確認し（ステップA3）、携帯電話機UE1がフェムトセル用基地局FAP1の配下に存在する場合に、発呼要求を通話相手の携帯電話機UE2に送信する（ステップA4,A5）。
【００４７】
携帯電話機UE2は、発呼要求に応答する場合に、発呼応答をサービス管理装置100に送信する（ステップA6,A7）。
【００４８】
サービス管理装置100は、発呼応答を受信した場合に、発呼応答を携帯電話機UE1に送信する（ステップA8,A9）。
【００４９】
携帯電話機UE1は、発呼応答を受信した場合に、通話相手の携帯電話機UE2と通話を開始することになる（ステップA10）。
【００５０】
このように、サービス管理装置100は、携帯電話機UE1がフェムトセル用基地局FAP1の配下に存在する場合は、通話相手の携帯電話機UE2との通話を可能にさせることになる。なお、通話相手の携帯電話機UE2からの発呼要求については、図４に示す処理を行い、サービス管理装置100は、携帯電話機UE1がフェムトセル用基地局FAP1の配下に存在する場合に通話を可能にさせることになる。
【００５１】
＜マクロセル用基地局MAP1配下の携帯電話機UE1がWebサーバ200のサービスを利用する場合＞
次に、図５を参照しながら、マクロセル用基地局MAP1配下の携帯電話機UE1がWebサーバ200のサービスを利用する場合について説明する。
【００５２】
携帯電話機UE1は、マクロセル用基地局MAP1を経由してサービス管理装置100にアクセスし、携帯電話機UE1の位置情報をサービス管理装置100に登録する。このため、サービス管理装置100は、携帯電話機UE1がマクロセル用基地局MAP1の配下に存在することを把握している（ステップC0）。
【００５３】
携帯電話機UE1は、Webサーバ200へのアクセス要求をマクロセル用基地局MAP1に送信する（ステップC1）。アクセス要求には、UE_IMSIが含まれている。UE_IMSIは、UE1を特定するための情報である。
【００５４】
マクロセル用基地局MAP1は、アクセス要求をサービス管理装置100に送信する（ステップC2）。アクセス要求には、UE_IMSI/MAP_IMSIのNAIが含まれている。UE_IMSIは、UE1を特定するための情報であり、ステップC1で受信したアクセス要求に含まれていたIMSI.UEである。MAP_IMSIは、MAP1を特定するための情報である。
【００５５】
サービス管理装置100は、アクセス要求を受け付けた場合に、携帯電話機UE1の位置情報を確認し（ステップC3）、携帯電話機UE1がマクロセル用基地局MAP1の配下に存在する場合に、アクセスNGのアクセス応答をマクロセル用基地局MAP1を介して携帯電話機UE1に送信する（ステップC4,C5）。
【００５６】
携帯電話機UE1は、アクセスNGのアクセス応答を受信することになる。このため、携帯電話機UE1は、Webサーバ200に接続できず、Webサーバ200のサービスを利用できないことになる（ステップC6）。
【００５７】
このように、サービス管理装置100は、携帯電話機UE1がマクロセル用基地局MAP1の配下に存在する場合は、Webサーバ200のサービスを携帯電話機UE1に利用させないようにする。なお、サービス管理装置100は、メールサーバ400のサービスを携帯電話機UE1が利用する場合も上記と同様な処理を行い、メールサーバ400のサービスを携帯電話機UE1に利用させないようにする。
【００５８】
但し、図６に示すように、サービス管理装置100は、携帯電話機UE1がマクロセル用基地局MAP1の配下に存在する場合でも、GPSサーバ300のサービスを携帯電話機UE1に利用させることになる。これは、緊急事態が発生した場合には、携帯電話機UE1の通信サービスを制限しないようにするためである。
【００５９】
＜マクロセル用基地局MAP1配下の携帯電話機UE1が通話相手の携帯電話機UE2に通話を行う場合＞
次に、図７を参照しながら、マクロセル用基地局MAP1配下の携帯電話機UE1が通話相手の携帯電話機UE2に通話を行う場合について説明する。
【００６０】
携帯電話機UE1は、マクロセル用基地局MAP1を経由してサービス管理装置100にアクセスし、携帯電話機UE1の位置情報をサービス管理装置100に登録する。このため、サービス管理装置100は、携帯電話機UE1がマクロセル用基地局MAP1の配下に存在することを把握している（ステップE0）。
【００６１】
携帯電話機UE1は、通話相手の携帯電話機UE2への発呼要求をマクロセル用基地局MAP1に送信する（ステップE1）。発呼要求には、UE_IMSIが含まれている。UE_IMSIは、UE1を特定するための情報である。
【００６２】
マクロセル用基地局MAP1は、発呼要求をサービス管理装置100に送信する（ステップE2）。発呼要求には、UE_IMSI/MAP_IMSIのNAIが含まれている。UE_IMSIは、UE1を特定するための情報であり、ステップE1で受信した発呼要求に含まれていたIMSI.UEである。MAP_IMSIは、MAP1を特定するための情報である。
【００６３】
サービス管理装置100は、発呼要求を受け付けた場合に、携帯電話機UE1の位置情報を確認し（ステップE3）、携帯電話機UE1がマクロセル用基地局MAP1の配下に存在する場合に、発呼NGの発呼応答を携帯電話機UE1に送信する（ステップE4,E5）。
【００６４】
携帯電話機UE1は、発呼NGの発呼応答を受信することになる。このため、携帯電話機UE1は、通話相手の携帯電話機UE2と通話ができないことになる（ステップE6）。
【００６５】
このように、サービス管理装置100は、携帯電話機UE1がマクロセル用基地局MAP1の配下に存在する場合は、通話相手の携帯電話機UE2との通話をさせないようにする。なお、通話相手の携帯電話機UE2からの発呼要求については、図８に示す処理を行い、サービス管理装置100は、携帯電話機UE1がマクロセル用基地局MAP1の配下に存在する場合に通話をさせないようにする。
【００６６】
但し、図９、図１０に示すように、サービス管理装置100は、携帯電話機UE1がマクロセル用基地局MAP1の配下に存在する場合でも、通話相手が緊急連絡先の場合には、緊急連絡先の通話相手と通話を可能にさせることになる。
【００６７】
また、図１１に示すように、サービス管理装置100は、携帯電話機UE1がマクロセル用基地局MAP1の配下に存在する場合でも、通話相手が緊急機関500の場合には、緊急機関500と通話を可能にさせることになる。
【００６８】
このように、サービス管理装置100は、携帯電話機UE1がマクロセル用基地局MAP1の配下に存在する場合でも、緊急事態に対応するための通信サービスを制限させないように制御することになる。
【００６９】
＜本実施形態の通信システムの作用・効果＞
このように、本実施形態の通信システムは、サービス管理装置100は、携帯電話機UE1がフェムトセル用基地局FAP1の配下に存在する場合に、携帯電話機UE１への通信サービスの利用を可能にし、携帯電話機UE1がマクロセル用基地局MAP1の配下に存在する場合に、携帯電話機UE1への通信サービスの利用を制限する。
【００７０】
携帯電話機UE1がフェムトセル用基地局FAP1の配下に存在する場合の処理動作を図１２に示す。
【００７１】
また、携帯電話機UE1がマクロセル用基地局MAP1の配下に存在する場合の処理動作を図１３に示す。
【００７２】
図１２では、携帯電話機UE1は、フェムトセル用基地局FAP1の配下に存在するため、サービス管理装置100は、携帯電話機UE1の通信サービスを制限する必要はない。また、携帯電話機UE1は、フェムトセル用基地局FAP1を経由して通信サービスを利用するため、大容量データの送受信が可能となる。このため、本実施形態の通信システムは、携帯電話機UE1が通信サービスを利用する際の通話品質を向上させることができる。また、フェムトセル用基地局FAP1からコアネットワークへのアクセスは、IP網を利用することで、安価に通信サービスを利用させるように構築することが可能となる。
【００７３】
これに対し、図１３では、携帯電話機UE1は、マクロセル用基地局MAP1の配下に存在するため、サービス管理装置100は、携帯電話機UE1の通信サービスを制限する必要がある。但し、防犯のために必要な機能である以下の通信サービスは制限せず、常時利用可能な状態にする。
【００７４】
GPS（Global Positioning System）機能の通信サービス
緊急機関への連絡サービス（110、119、171等）
緊急連絡先への連絡サービス
【００７５】
本実施形態の通信システムは、フェムトセル用基地局FAP1を用いて携帯電話機UE1の通信サービスを制限することで、例えば、図１４に示すように、携帯電話機UE1の通信サービスを制限することが可能となる。図１４では、フェムトセル用基地局FAP1を屋内に設置し、携帯電話機UE1は、屋内に設置されたフェムトセル用基地局FAP1を経由した場合に、ネットワークNWにアクセスしたり、通話相手の携帯電話機UE2との通話を可能にしている。しかし、携帯電話機UE1は、屋外にいる場合には、ネットワークNWにアクセスしたり、通話相手の携帯電話機UE2との通話を不可能にしている（アクセス制限あり）。但し、携帯電話機UE1が屋外にいる場合でも、緊急連絡先との通話を可能にしている（アクセス制限なし）。
【００７６】
（第２の実施形態）
次に、第２の実施形態について説明する。
【００７７】
第１の実施形態では、サービス管理装置100は、携帯電話機UE1がフェムトセル用基地局FAP1の配下に存在する場合に、携帯電話機UE1への通信サービスの利用を可能にした。
【００７８】
第２の実施形態では、携帯電話機UE1がフェムトセル用基地局FAP1の配下に存在する場合でも、図１５に示すように、携帯電話機UE1への通信サービスを制限するようにする。図１５の処理動作は、携帯電話機UE1がフェムトセル用基地局FAP1の配下に存在する場合でもWebサーバ200のサービスを利用できないようにするための利用制限をサービス管理装置100に登録しておく（ステップJ0）。これにより、サービス管理装置100は、携帯電話機UE1がフェムトセル用基地局FAP1の配下に存在する場合でも、Webサーバ200のサービスを携帯電話機UE1が利用できないようにすることが可能となる（ステップS0〜S'6）。
【００７９】
なお、本実施形態のサービス管理装置100は、各携帯電話機UEの通信サービスを携帯電話機UE（加入者情報）毎に管理する。そして、サービス管理装置100は、通信サービスを制限するための制限要求を携帯電話機UE1から受け付けた場合に、その制限要求に対応する通信サービスを制限するように携帯電話機UE１の利用制限を変更することになる。
【００８０】
また、サービス管理装置100は、通信サービスの利用制限を解除するための解除要求を携帯電話機UE1から受け付けた場合に、その解除要求に対応する通信サービスの利用制限を解除するように携帯電話機UE１の利用制限を変更することになる。
【００８１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８２】
また、上述した本実施形態における通信システムを構成する各装置における制御動作は、ハードウェア、または、ソフトウェア、あるいは、両者の複合構成を用いて実行することも可能である。
【００８３】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００８４】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００８５】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００８６】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【００８７】
また、本実施形態における通信システムは、複数の装置の論理的集合構成にしたり、各構成の装置が同一筐体内に存在する構成にしたりするように構築することも可能である。
【産業上の利用可能性】
【００８８】
本発明は、フェムトセル用基地局を用いたサービスに適用可能である。
【符号の説明】
【００８９】
UE    携帯電話機
FAP    フェムトセル用基地局
MAP    マクロセル用基地局
１００    サービス管理装置
２００    Webサーバ
３００    GPSサーバ
４００    メールサーバ
５００    緊急機関
NW    ネットワーク
【図１】
2010206619.tif 000003
【図２】
2010206619.tif 000004
【図３】
2010206619.tif 000005
【図４】
2010206619.tif 000006
【図５】
2010206619.tif 000007
【図６】
2010206619.tif 000008
【図７】
2010206619.tif 000009
【図８】
2010206619.tif 000010
【図９】
2010206619.tif 000011
【図１０】
2010206619.tif 000012
【図１１】
2010206619.tif 000013
【図１２】
2010206619.tif 000014
【図１３】
2010206619.tif 000015
【図１４】
2010206619.tif 000016
【図１５】
2010206619.tif 000017